(57)【要約】【課題】  簡易両面テープとして粘着テープ４のループ１３がＰＯＰ貼付用として多用されているが、このループ１３の作成が誰にでも簡便に作成できるようなループ作成機構を有するテープカッター１を得る。【解決手段】  請求項１では卓上型であって、引き出した粘着テープ４を、溝を有する本体側保持体７及び反転パイプを保持する回転アーム９に設けたやはり溝を有する反転パイプ８それぞれに仮止めし、これを反時計回りに回転させつつ粘着テープ４の背面に押し付けて得る。請求項２では携行可能な軽便タイプであり、そのために刃の支持体側面１５に頭が丸く低いストッパー１６を設けるとともに、溝を有する本体側保持体７を貫通する回転アームの足の長さを若干長くして左右に動くよう遊びを設け、押し戻してストッパー１６を乗り越えさせたときループ作成機構６をコンパクトにさせる。【選択図】図１
2012201509.tif 000002
【特許請求の範囲】
【請求項１】
セロハンテープなど粘着テープをリールもしくは容器内に保持し、そのテープを引き出してカットした後にテープを刃の部分に仮止めしておくような重量のある卓上テープカッターであって、刃の支持体前部の上部には刃と平行に設置される半円筒状で、しかもその曲面にはテープが仮止めできるよう垂直方向に複数の溝を有する本体側保持体があり、又、この溝を有する保持体にはその長手方向に設けられた貫通穴があって、この貫通穴に反転パイプを保持する回転アームの短い方の足が貫通固定されるが、この反転パイプを保持する回転アームとは概コの字に曲げた金属棒を更に直角に曲げて平行な長短二本の足を得るような概Ｌ字型をなしているもので、このもう一方の長い足に自由に回転できるやはり垂直方向に複数の溝を有する反転パイプが被せられ脱落しないように固定されてあるが、この構造のため反転パイプを保持する回転アームのエルボー部分が刃の支持体前部に当たるようになるので溝を有する反転パイプが常に一定の位置を保たれるようになっており、なおこの溝を有する本体側保持体の高さは刃及び溝を有する反転パイプの仮止め面を結ぶ直線より低くされているようになっていて、リールから粘着テープを引き出して溝を有する反転パイプに約１５ｍｍ〜２０ｍｍ程度はみ出すように乗せて仮固定させ、次に溝を有する本体側保持体に軽く固定させ、続いてこの状態を保ったまま溝を有する反転パイプを指でつかんで反時計回りに回しつつ反転パイプを保持する回転アームを回転させれば刃の上部を通過して反転した粘着テープの粘着面が粘着テープの表面に粘着しループとなるように構成されてなるループ作成機構を有するテープカッター。
【請求項２】
別部材のリールを持たず、樹脂などで形成される軽量軽便なテープカッター本体に粘着テープを保持しうるタイプであって、刃の支持体前部の上部に、溝を有する本体側保持体の貫通穴に反転パイプを保持する回転アームの短い方の足が貫通固定されるが、この短い方の足の長さを若干長くして左右に動くような遊びを設け、かつ反転パイプを保持する回転アームのエルボー部分が刃の支持体前部に当たらず、刃の支持体側面に設けられた頭の丸い円筒様のストッパーに当たるようになっていて、強く押したときそのエルボー部分がストッパーを乗り越えて外部に突出するループ作成機構の一部をテープカッター本体側に収納できるような構造を持ってなる請求項１記載のループ作成機構を有するテープカッター。
【発明の詳細な説明】
【技術分野】
【０００１】  本発明はセロハンテープなど片面に接着面を有する粘着テープのテープカッターに関するものである。
【背景技術】
【０００２】  従来、普遍的な粘着テープの代表的製品としてセロハンテープがあり、一般家庭用はもちろんのこと事務用あるいは業務及び産業用として貼付作業に広く用いられている。透明度が高く、しかも利用範囲が広いこととかつ安価なのが必需品となった理由といえる。もっとも簡便なものでは、粘着テープのコイルに金属性のカッターの足を折り曲げて装着しただけのものもあるが、通常は使いやすいのでテープカッターに装着して使われる。その基本構造は、粘着テープのコアにリールを嵌める、あるいは本体に一体の保持部に嵌るよう装着し、粘着テープを引き出して本体の一端に設置された刃でカットするというものである。切った粘着テープを次に引き出してカットしやすいように金属製の刃に仮止めできる部分を設けてあるかもしくは樹脂の一体成型の刃の場合にはこの付近にやはり仮止めできる部分を設けてある。この本体は動きにくくするためにセメントや金属塊などで重くしてあるのが多いが、ハンディタイプでは持ち運びなどの軽便さを求めるのでそのような安定のための構造をとらない。二種の異なる粘着テープのコアに対応できるようにしたもの、刃で怪我しないように保護カバーを有したもの、四角い本体が対角線で開くようになっていて刃の部分が現れるようになるもの、ぎざぎざの切断形状ではなく直線にカットできる刃を有したもの、リールに装着した粘着テープが戻らないように錘で押さえるもの、テープカッター本体に収納スペースを設けたものなどの他、ドーナツ型や素材特性を生かしたデザインを入れればテープカッターのデザインは限りなく多岐である。一方、産業用には特殊なものがある。例えば幅広のセロハンテープは梱包作業用によく用いられるが、片手のみで押し付けてカットできるというものもあった。量販店のレジ横などで見られるテープカッターを複数個並列に配したもの、あるいは電動式で一定の長さに切って送り出せるものや、粘着テープ先端あるいは長さ方向の片側を自動で折り曲げて貼付後に剥がしやすくしたものなどがある。【０００３】
【発明の開示】
【発明が解決しようとする課題】
【０００４】  広く必需品として使用されてきたセロハンテープなど片面の粘着テープは通常の貼り合わせや壁面などへの貼り付けといった使い方以外に、接着面を表にしてループ状に丸めていわば簡易両面テープとして使用されることも広く当たり前に行われてきた。学校教育でも小学４年生までは指導要領で両面テープは使わせないのでこの方法は自然と身についている。しかし、この作業は細かな手作業であり、上手下手もありえた。手書きＰＯＰ貼付などにたくさん用意する必要があるときは人手も時間もかかり問題であった。両面テープは便利ではあるがコスト及び接着力が強すぎて什器や商品を汚す、剥離紙がゴミになるなどの理由から実際に使っているケースは少ない。【０００５】  近年、手書きＰＯＰが非常に盛んで、ＰＯＰ作成関連の書籍も多数出版され、又、全国各地ではさまざまなＰＯＰ作成講座も多数開催されている。この販促手法は長引く消費不況の中でどう販売を増やすか試行錯誤の中から現場から自然発生的に生まれたものといわれ、ローテクで旧態然としているが販促効果は大きいといわれる。特に大型店の影響を受けやすい個人商店や小規模の店舗などではいかにお客さんの心を掴むかそれぞれに工夫を凝らしている。ショップスタッフの感性による推奨と迅速なメリット情報、例えば、「今一番売れています」「本日特価」「新製品」などは消費者心理に強く働きかけるといわれ、実際、強調した商品の売り上げに大きな効果を発揮している。メーカーや大手流通企業お仕着せのＰＯＰは印刷されて美麗ではあるが、個々の店舗が作成する手書きＰＯＰのような臨機応変でかつ消費者及び地域特性に配慮した訴求力には乏しいともいわれてきた。このように手書きＰＯＰの有効性は高いが、その有効期間は最長１週間といわれ、常に新しいものに更新しなければ消費者の注意喚起が得られないというのがＰＯＰマーケティングといわれる。そのために、ＰＯＰの紙片を什器や商品に簡単に貼り代えられるようにしなければならない。そこでどこにもありかつ低コスト簡便なセロハンテープのループが多用されている。【０００６】  手書きＰＯＰをよく使う業種を調べてみると、商品の入れ替えの早い書籍店や価格設定の変更の多い家電販売店、低価格多量販売を売り物にするディスカウントショップ、消費性向変化の激しいファッションショップや化粧品及びドラッグストア、専門的な情報を店頭で効率よく伝えなければならない健康関連ショップ、手芸用品ショップ、カー用品ショップ、釣り具ショップ、サイクルショップ、中古車ショップ、他には独自性を強調したいベーカリー、リカーショップ、フラワーショップ、ギフトショップなど多数が挙げられる。もちろん量販店、コンビニストア、ホームセンターでもコーナーにもよるが他店との差別化のツールとして再認識されている。【０００７】  しかし、上述したように手書きＰＯＰニーズの高まりとともに大量のループ作成作業が販売の現場で発生しているがこのループは細かい手作業によって作成されるものであり、手先が不自由、又は手先があまり器用ではない人にとっては困難な作業ともいえた。テープカッターでこのループが簡単に作成できる機能を有するものがあればよいのであるが、これまでにそのような製品は皆無���あった。本発明はこのような実情とニーズに対応でき、誰でも片手でも作成できる簡易なループ作成機構を有するテープカッターを広く提供することにある。
【課題を解決するための手段】
【０００８】  簡易なループ作成機構を有するテープカッターを得るためには以下のような構造が必要である。セロハンテープなど粘着テープをリールもしくは容器内に保持し、そのテープを引き出して刃の部分に仮止めしておくようなテープカッターであって、刃の支持体前部には刃と平行に設けられたテープが仮止めできるよう複数の溝を有する形状に工夫された半円筒状の本体側保持体があり、なおこの保持体長手方向には貫通穴が設けられている。この貫通穴は次に述べる反転パイプを保持する回転アームの軸受けをなす。この反転パイプを保持する回転アームとは、金属棒を概コの字に曲げて長短二本の足を形成し、次にこの長短二本の足を平行になるようにしつつ更に直角に曲げたものである。このように加工された反転パイプを保持する回転アームの短い方の足は本体側保持体部の貫通穴に差し込まれ脱落しないように回転軸固定部材で固定する。もう片方の長い足は溝を有する反転パイプに差込みやはり回転軸固定部材で固定する。このような構成なので反転パイプを保持する回転アームのエルボー部分が刃の支持体前部に当てられるので溝を有する反転パイプが常に一定の角度と位置に保たれる。反転パイプを保持する回転アームの平行な長短二本の足の間隔は作成されるループの長さを決める重要な要素だが、刃との距離も重要であり、その基本的な考え方は、反転パイプを保持する回転アームが持ち上げられて刃に向かって回転するとき、刃に接触せずに刃の上部を通過できるようにし、そしておよそ３０ｍｍ前後のループを得られるようにすればよい。このような考え方で所定の寸法を得る。【０００９】  細かく言えば、刃の支持体前部に設けられる溝を有する本体側保持体の突出する高さは、刃と溝を有する反転パイプの粘着テープを仮止めする面を結ぶ直線より直角に５〜７ｍｍ程度低いのが好ましい。こうすれば粘着テープに角度がつき反転しやすくなるからである。溝を有する本体側保持体の半円筒状寸法は、半径で２０ｍｍ程度とし、かつ溝を有する反転パイプの直径は１０ｍｍ程度にすることが仮止めしやすく、しかもループ形成後、溝を有する反転パイプからループを剥がしやすい。なお、この溝を有する反転パイプの端部に直径１５ｍｍ位のフランジを設ければ粘着テープ引き出し時にはみ出さず平行を得やすい。なお、半円筒状の溝を有する本体側保持体と溝を有する反転パイプに設けられる溝の方向はそれぞれの長手方向と直角にするのが好ましい。理由として、テープカッター本体を樹脂等で一体成型にする場合も確実に美麗な溝が得られる。又、溝を有する反転パイプの場合は自由に回転するのでどの位置でも同じ深さの溝がなければならないからこの方法が好ましい。溝を有する反転パイプと溝を有する本体側保持体の溝と山の幅は、形成する素材にもよるが例えばＰＰ樹脂やＰＥ樹脂ならば概ね１ｍｍ〜１．５ｍｍでよい。粘着テープの種類及びテープ幅によって粘着強度が異なるが前述条件であればこの範囲で対応できる。更にこの溝を有する反転パイプの長さはテープカッター本体にある刃の支持体前部の幅より最低１０ｍｍ程度長くさせるが摘みやすくするためである。更に回転軸固定部材は回転アームのそれぞれの端部をねじ切りしてワッシャーを介してナット締め��るいは回転アームの線材が細ければパイプを回転アーム端部に設けワッシャーを介しタッピングねじで固定する。このループ作成機構は、溝を有する本体側保持体は樹脂もしくは金属鋳物でテープカッター本体と一体成型で形成しても、あるいは別部品で構成されたものをねじ等で設けてでもかまわない。【００１０】  ループの作成方法は、まず引き出された粘着テープが溝を有する反転パイプに乗せて仮止めされるが約１５ｍｍ〜２０ｍｍ程度オーバーするように載せる。この引き出された粘着テープを更に溝を有する本体側保持体に軽く仮止めし、続いてこのままの状態を保ちつつ溝を有する反転パイプを指でつかんで反時計回りに回して粘着テープを反転させながら反転パイプを保持する回転アームを刃に向かって上方向に回転させて、刃の上を越えれば反転した粘着テープが表の非粘着面に粘着しループが形成される。この反転パイプを保持する回転アームを下側に戻すと自然にループと離れるのでこれを指で摘みカットする。テープカッター本体にセメント流し込みするか金属体など付加して十分なウエートがあれば安定しているので片手でもループを作成できる。【００１１】  又、安定用のウエートが無くかつテープカッター本体に粘着テープのコアに合わせた穴を有する幅の薄い軽便タイプでは持ち運びすることもあるので、外部に突出するループ作成機構の一部をテープカッター本体側に収納できるような構造が必要である。つまり、ループ作成時に、パイプを保持する回転アームは刃の支持体前部に位置しなければならないが、その必要が無いときは戻せばよいことになる。ループ作成機構の基本構造は上述したものと基本的には同一ではあるが、刃の支持体側面に頭が丸くかつ低い円筒様の突起つまりストッパーを設けるとともに溝を有する本体側保持体を貫通する回転アームの長さを若干長くして左右に遊びを設ける。こうすればループ作成時にはストッパーが回転アームを決められた角度と位置に支え、逆にループを作成しないときや携行時などには回転アームをテープカッター本体側に押し込めばストッパーの丸い頭部を乗り越えてテープカッター本体の側面に納まりコンパクトにできる。ストッパーの位置は上述の各寸法に応じて設定すればよい。
【発明の効果】
【００１２】  上述したように本発明は、請求項１で言えば、溝を有する本体側保持体でテープを保持しつつ、反転パイプを保持する回転軸に設けられたやはり溝を有する反転パイプでテープを仮止めし、これを指で回転させて粘着面をカールしテープの背面に押し付けるという容易な方法なのでテープカッター本体がウエートなどで安定していれば片手でも簡易両面テープを短時間で大量に得ることができる。【００１３】  又、請求項２では安定用のウエートが無くかつテープカッター本体に粘着テープのコアに合わせた穴を有する軽便なタイプであり、刃の支持体側面に頭が丸くかつ低い円筒様の突起つまりストッパーを設けるとともに溝を有する本体側保持体を貫通する回転軸の長さを若干長くして遊びを設けているので使用時にはストッパーが回転軸のアームを支え、携行時や不使用時には押し戻してストッパーを乗り越えさせコンパクトにできる。
【発明を実施するための最良の形態】
【実施例】
【００１４】  本発明を図１から図９に基づいて説明する。図１は本発明の請求項１の実施例を示す斜視図であり、ループ作成機構を有するテープカッター１は、テープカッター本体２としては台上で動かないようセメント等を内蔵し、粘着テープ４を保持するリール３もその回転軸をテープカッター本体２に落とし込むもので刃５も普遍的なものであり、テープカッター本体２はＰＰ樹脂などを用いインジェクション成型で得る。ループ作成機構６は複数の部品で構成されるが溝を有する本体側保持体７はテープカッター本体２と一体成型で形成されると同時に横方向に貫通穴も形成される。反転パイプを保持する回転アーム９は直径２ｍｍのステンレス製丸棒をワイヤーフォーミング加工して得るが、それぞれの長短の足には螺止できるようタッピング加工を施す。溝を有する反転パイプ８は片側にフランジを有するコルゲートパイプ構造でＰＰ樹脂またはＰＥ樹脂の射出成型で得る。溝を有する本体側保持体７は刃５の先端から１１ｍｍ下に設ける。パイプを保持する回転アーム９の平行な二本の足の間隔は３３ｍｍとすれば長さ約３０ｍｍ前後のループ１３が得られる。【００１５】  図２は請求項１の実施例の平面図である。反転パイプを保持する回転アーム９の長短二本の足の長さの違いを示す。溝を有する反転パイプ８が摘みやすいように長くなっている。【００１６】  図３は請求項１の実施例の正面図群であり、そのループ作成機構６の作動原理をＡ〜Ｄに分けて連続で示している。【００１７】  図４では請求項１の実施例のループ作成方法をＡ〜Ｆまで連続して示す斜視群であり、ループ作成機構６の操作方法を理解しやすくしたもの。【００１８】  図５は本発明の請求項１の実施例で、通常のテープカッターとして使用する態様を示す斜視図である。【００１９】  図６は本発明請求項２の実施例を示す斜視図である。この図では外部に突出するループ作成機構６の一部をテープカッター本体２の刃の支持体側面１５に回転かつ押し入れてストッパー１６を乗り越えさせて収納した状態を示している。この場合、テープカッター本体２はＰＰ樹脂の射出成型で得るが、粘着テープ４を交換するために左右２ピースに分離できるように嵌合された一般的な形態である。刃５は金属製でも樹脂の一体成型されたものでもよい。ストッパー１６は直径７ｍｍ、高さ５ｍｍで頭部が鍋ねじ様に丸くテープカッター本体２の右側のピースに一体で形成される。溝を有する本体側保持体は左右どちらかのピースと一体で形成されるが、どちらかに設けるかは金型製作の都合や成型条件に合わせて決定すればよい。反転パイプを保持する回転アーム９を含むループ作成機構６は図１と基本的に同一の仕様でよいが、反転パイプを保持する回転アーム９の短い足の長さは図１の実施例に対して７〜８ｍｍ大きくする。なお、ストッパー１６を乗り越えた状態では溝を有する反転パイプが刃の支持体前部１４に接触している。【００２０】  図７では、図６で示した実施例が反転パイプを保持する回転アーム９をコンパクトに収納したのに対して、反転パイプを保持する回転アーム９をストッパー１６から外してループ１３を作成する状態にしたものを説明する図で、エルボー部分がストッパー１６に支えられている。この状態で���反転パイプを保持する回転アーム９の短い足が左方に移動している。【００２１】  図８は本発明のループ作成機構を有するテープカッター１で作成されたループ１３をＰＯＰ１７の背面に貼付するのを説明する図である。【００２２】  図９は図８のＰＯＰ１７を販売什器１８の棚に貼付した状態を示す図である。
【産業上の利用可能性】
【００２３】  本発明は、セロハンテープなどのどこにでもある安価な粘着テープを用いてループが簡易に作成できるので手書きＰＯＰ作成などの業務用として産業上の利用価値は極めて高い。
【図面の簡単な説明】
【００２４】
【図１】  本発明請求項１の実施例を示す斜視図である。
【図２】  本発明請求項１の実施例を示す平面図である。
【図３】  本発明請求項１の実施例のループ作成機構の作動をＡからＤまで連続して示す側面図群である。
【図４】  本発明請求項１の実施例の使用方法をＡからＦまで連続して示す斜視図群である。
【図５】  本発明請求項１の実施例で通常のテープカッターとして使用する態様を示す斜視図である。
【図６】  本発明請求項２の実施例を示す斜視図である。
【図７】  本発明請求項２の実施例で使用時の態様を示す斜視図である。
【図８】  セロハンテープ等で作成したループを紙片等の裏側に貼付の例示図である。
【図９】  セロハンテープ等で作成したループをＰＯＰ裏側に貼付し什器等に添付した例示図である。
【符号の説明】
【００２５】１    ループ作成機構を有するテープカッター
２    テープカッター本体
３    リール
４    粘着テープ
５    刃
６    ループ作成機構
７    溝を有する本体側保持体
８    溝を有する反転パイプ
９    反転パイプを保持する回転アーム
１０  フランジ
１１  回転軸固定部材
１２  エルボー部分
１３  ループ
１４  刃の支持体前部
１５  刃の支持体側面
１６  ストッパー
１７  ＰＯＰ
１８  販売什器
【図１】
2012201509.tif 000003
【図２】
2012201509.tif 000004
【図３】
2012201509.tif 000005
【図４】
2012201509.tif 000006
【図５】
2012201509.tif 000007
【図６】
2012201509.tif 000008
【図７】
2012201509.tif 000009
【図８】
2012201509.tif 000010
【図９】
2012201509.tif 000011